(57)【要約】【課題】物体に表示されたオブジェクトの操作性を向上させることを可能とする表示制御プログラム、表示制御装置及び表示制御方法を提供する。【解決手段】物体上に複数のエリアをそれぞれ示す複数の情報を表示し、複数のエリアのうち、第１のエリアと第２のエリアとの指定を受け付け、エリア内に表示されたオブジェクトを、各エリアに対応付けて記憶する記憶部を参照して、指定された第１のエリア内に表示された第１のオブジェクトと、指定された第２のエリア内に表示された第２のオブジェクトとを特定し、物体上に第３のエリアを示す情報を表示するとともに、第３のエリア内に、特定した第１のオブジェクトと、第２のオブジェクトとを表示する。【選択図】図４
2019128899.tif 000002
【特許請求の範囲】
【請求項１】
物体上に複数のエリアをそれぞれ示す複数の情報を表示し、
前記複数のエリアのうち、第１のエリアと第２のエリアとの指定を受け付け、
エリア内に表示されたオブジェクトを、該エリアに対応付けて記憶する記憶部を参照して、指定された前記第１のエリア内に表示された第１のオブジェクトと、指定された前記第２のエリア内に表示された第２のオブジェクトとを特定し、
前記物体上に第３のエリアを示す情報を表示するとともに、前記第３のエリア内に、特定した前記第１のオブジェクトと、前記第２のオブジェクトとを表示する、
処理をコンピュータに実行させることを特徴とする表示制御プログラム。
【請求項２】
請求項１において、さらに、
特定した前記第１のオブジェクトと、前記第２のオブジェクトとを、前記第３のエリアに対応付けて前記記憶部に記憶する、
ことを特徴とする表示制御プログラム。
【請求項３】
請求項１または２において、さらに、
前記指定を受け付けると、指定された前記第１のエリア内に表示された第１のオブジェクトと、指定された前記第２のエリア内に表示された第２のオブジェクトとを、それぞれ非表示とする、
ことを特徴とする表示制御プログラム。
【請求項４】
請求項１または２において、さらに、
前記指定を受け付けると、前記第１のオブジェクトの前記第１のエリアでの表示と、前記第２のオブジェクトの前記第２のエリアでの表示とを、それぞれ抑制する、
ことを特徴とする表示制御プログラム。
【請求項５】
請求項１乃至４のいずれかにおいて、
前記第３のエリアは、前記第１のエリア及び前記第２のエリアのいずれかエリアである、
ことを特徴とする表示制御プログラム。
【請求項６】
請求項１乃至４のいずれかにおいて、
前記第３のエリアは、前記第１のエリア及び前記第２のエリアとは異なるエリアである、
ことを特徴とする表示制御プログラム。
【請求項７】
請求項１乃至６のいずれかにおいて、
前記第１のエリア及び前記第２のエリアは、互いに隣接しないエリアである、
ことを特徴とする表示制御プログラム。
【請求項８】
請求項７において、
前記第１のエリアは、第１の物体に情報が表示される前記複数のエリアに含まれるエリアであり、
前記第２のエリアは、第２の物体に情報が表示される前記複数のエリアに含まれるエリアである、
ことを特徴とする表示制御プログラム。
【請求項９】
物体上にあるエリアを示す複数の情報を表示し、
前記あるエリアを複数のエリアに分割する分割位置の指定を受け付けると、エリア内に表示されたオブジェクトと、該オブジェクトの表示位置とを、該エリアに対応付けて記憶する記憶部を参照して、前記あるエリア内に表示されたオブジェクトと、該オブジェクトの表示位置とを特定し、
特定した前記オブジェクトの表示位置と、指定された前記分割位置とに基づき、前記複数のエリアのうち、特定した前記オブジェクトそれぞれが含まれるエリアを特定し、
前記物体上にそれぞれが前記複数のエリアを示す複数の情報を表示するとともに、前記複数のエリアそれぞれに、特定した前記オブジェクトのうち、それぞれのエリアに対応するオブジェクトを表示する、
処理をコンピュータに実行させることを特徴とする表示制御プログラム。
【請求項１０】
請求項９において、さらに、
特定した前記オブジェクトのうち、それぞれのエリアに対応するオブジェクトを、前記複数のエリアそれぞれに対応付けて前記記憶部に記憶する、
ことを特徴とする表示制御プログラム。
【請求項１１】
請求項９において、
前記エリアを特定する処理では、
前記分割位置から前記複数のエリアの範囲をそれぞれ特定し、
前記オブジェクトごとに、前記複数のエリアのうち、該オブジェクトの表示位置を含む範囲に対応するエリアを特定する、
ことを特徴とする表示制御プログラム。
【請求項１２】
物体上に複数のエリアをそれぞれ示す複数の情報を表示し、
前記複数のエリアのうち、いずれかのエリア内にオブジェクトを配置する動作を検知すると、互いに関連付けられた複数のエリアに関する情報を記憶する記憶部を参照して、前記いずれかのエリアに対応付けられたエリアを特定し、
特定した前記エリア内に、前記いずれかのエリア内に配置された前記オブジェクトを表示する、
処理をコンピュータが実行することを特徴とする表示制御プログラム。
【請求項１３】
請求項１２において、
前記オブジェクトを配置する動作は、前記複数のエリアのうち、前記いずれかのエリアと異なる他のエリアに配置されていた前記オブジェクトを、前記いずれかのエリアに移動させて配置する動作である、
ことを特徴とする表示制御プログラム。
【請求項１４】
物体上に複数のエリアをそれぞれ示す複数の情報を表示し、
前記複数のエリアのうち、第１のエリアと第２のエリアの指定を受け付けると、エリア内に表示されたオブジェクトを該エリアに対応付けて記憶する記憶部を参照して、指定された前記第１のエリア及び前記第２のエリアにそれぞれオブジェクトが表示されているか否かを判定し、
前記第１のエリア及び前記第２のエリアにそれぞれオブジェクトが表示されていると判定した場合、前記物体上に第３のエリアを示す情報を表示するとともに、前記第１のエリアに表示されたオブジェクトと、前記第２のエリアに表示されたオブジェクトとを前記第３のエリアに表示する、
処理をコンピュータに実行させることを特徴とする表示制御プログラム。
【請求項１５】
物体上に複数のエリアをそれぞれ示す複数の情報を表示させる操作を受け付け、
前記物体上に表示されたオブジェクトの位置を該オブジェクトに対応付けて記憶する記憶部を参照して、前記複数のエリアにそれぞれ含まれるオブジェクトの数を算出し、
算出した前記数を、前記複数のエリアのうち、対応するエリアに対応付けて表示する、
処理をコンピュータに実行させることを特徴とする表示制御プログラム。
【請求項１６】
物体上に複数のエリアをそれぞれ示す複数の情報を表示する情報表示部と、
前記複数のエリアのうち、第１のエリアと第２のエリアとの指定を受け付ける指定受付部と、
エリア内に表示されたオブジェクトを、該エリアに対応付けて記憶する記憶部を参照して、指定された前記第１のエリア内に表示された第１のオブジェクトと、指定された前記第２のエリア内に表示された第２のオブジェクトとを特定するオブジェクト特定部と、
前記物体上に第３のエリアを示す情報を表示するとともに、前記第３のエリア内に、特定した前記第１のオブジェクトと、前記第２のオブジェクトとを表示するオブジェクト表示部と、を有する、
ことを特徴とする表示制御装置。
【請求項１７】
物体上にあるエリアを示す複数の情報を表示する情報表示部と、
前記あるエリアを複数のエリアに分割する分割位置の指定を受け付けると、エリア内に表示されたオブジェクトと、該オブジェクトの表示位置とを、該エリアに対応付けて記憶する記憶部を参照して、前記あるエリア内に表示されたオブジェクトと、該オブジェクトの表示位置とを特定するオブジェクト特定部と、
特定した前記オブジェクトの表示位置と、指定された前記分割位置とに基づき、前記複数のエリアのうち、特定した前記オブジェクトそれぞれが含まれるエリアを特定するエリア特定部と、
前記物体上にそれぞれが前記複数のエリアを示す複数の情報を表示するとともに、前記複数のエリアそれぞれに、特定した前記オブジェクトのうち、それぞれのエリアに対応するオブジェクトを表示するオブジェクト表示部と、を有する、
ことを特徴とする表示制御装置。
【請求項１８】
物体上に複数のエリアをそれぞれ示す複数の情報を表示する情報表示部と、
前記複数のエリアのうち、いずれかのエリア内にオブジェクトを配置する動作を検知すると、互いに関連付けられた複数のエリアに関する情報を記憶する記憶部を参照して、前記いずれかのエリアに対応付けられたエリアを特定するエリア特定部と、
特定した前記エリア内に、前記いずれかのエリア内に配置された前記オブジェクトを表示するオブジェクト表示部と、を有する、
ことを特徴とする表示制御装置。
【請求項１９】
物体上に複数のエリアをそれぞれ示す複数の情報を表示する情報表示部と、
前記複数のエリアのうち、第１のエリアと第２のエリアの指定を受け付けると、エリア内に表示されたオブジェクトを該エリアに対応付けて記憶する記憶部を参照して、指定された前記第１のエリア及び前記第２のエリアにそれぞれオブジェクトが表示されているか否かを判定するオブジェクト特定部と、
前記第１のエリア及び前記第２のエリアにそれぞれオブジェクトが表示されていると判定した場合、前記物体上に第３のエリアを示す情報を表示するとともに、前記第１のエリアに表示されたオブジェクトと、前記第２のエリアに表示されたオブジェクトとを前記第３のエリアに表示するオブジェクト表示部と、を有する、
ことを特徴とする表示制御装置。
【請求項２０】
物体上に複数のエリアをそれぞれ示す複数の情報を表示させる操作を受け付ける指定受付部と、
前記物体上に表示されたオブジェクトの位置を該オブジェクトに対応付けて記憶する記憶部を参照して、前記複数のエリアにそれぞれ含まれるオブジェクトの数を算出し、算出した前記数を、前記複数のエリアのうち、対応するエリアに対応付けて表示するオブジェクト表示部と、を有する、
ことを特徴とする表示制御装置。
【請求項２１】
物体上に複数のエリアをそれぞれ示す複数の情報を表示し、
前記複数のエリアのうち、第１のエリアと第２のエリアとの指定を受け付け、
エリア内に表示されたオブジェクトを、該エリアに対応付けて記憶する記憶部を参照して、指定された前記第１のエリア内に表示された第１のオブジェクトと、指定された前記第２のエリア内に表示された第２のオブジェクトとを特定し、
前記物体上に第３のエリアを示す情報を表示するとともに、前記第３のエリア内に、特定した前記第１のオブジェクトと、前記第２のオブジェクトとを表示する、
ことを特徴とする表示制御方法。
【請求項２２】
物体上にあるエリアを示す複数の情報を表示し、
前記あるエリアを複数のエリアに分割する分割位置の指定を受け付けると、エリア内に表示されたオブジェクトと、該オブジェクトの表示位置とを、該エリアに対応付けて記憶する記憶部を参照して、前記あるエリア内に表示されたオブジェクトと、該オブジェクトの表示位置とを特定し、
特定した前記オブジェクトの表示位置と、指定された前記分割位置とに基づき、前記複数のエリアのうち、特定した前記オブジェクトそれぞれが含まれるエリアを特定し、
前記物体上にそれぞれが前記複数のエリアを示す複数の情報を表示するとともに、前記複数のエリアそれぞれに、特定した前記オブジェクトのうち、それぞれのエリアに対応するオブジェクトを表示する、
ことを特徴とする表示制御方法。
【請求項２３】
物体上に複数のエリアをそれぞれ示す複数の情報を表示し、
前記複数のエリアのうち、いずれかのエリア内にオブジェクトを配置する動作を検知すると、互いに関連付けられた複数のエリアに関する情報を記憶する記憶部を参照して、前記いずれかのエリアに対応付けられたエリアを特定し、
特定した前記エリア内に、前記いずれかのエリア内に配置された前記オブジェクトを表示する、
ことを特徴とする表示制御方法。
【請求項２４】
物体上に複数のエリアをそれぞれ示す複数の情報を表示し、
前記複数のエリアのうち、第１のエリアと第２のエリアの指定を受け付けると、エリア内に表示されたオブジェクトを該エリアに対応付けて記憶する記憶部を参照して、指定された前記第１のエリア及び前記第２のエリアにそれぞれオブジェクトが表示されているか否かを判定し、
前記第１のエリア及び前記第２のエリアにそれぞれオブジェクトが表示されていると判定した場合、前記物体上に第３のエリアを示す情報を表示するとともに、前記第１のエリアに表示されたオブジェクトと、前記第２のエリアに表示されたオブジェクトとを前記第３のエリアに表示する、
ことを特徴とする表示制御方法。
【請求項２５】
物体上に複数のエリアをそれぞれ示す複数の情報を表示させる操作を受け付け、
前記物体上に表示されたオブジェクトの位置を該オブジェクトに対応付けて記憶する記憶部を参照して、前記複数のエリアにそれぞれ含まれるオブジェクトの数を算出し、
算出した前記数を、前記複数のエリアのうち、対応するエリアに対応付けて表示する、
ことを特徴とする表示制御方法。
【発明の詳細な説明】
【技術分野】
【０００１】
本発明は、表示制御プログラム、表示制御装置及び表示制御方法に関する。
【背景技術】
【０００２】
近年、例えば、会議の各参加者が所有している端末（例えば、ノートＰＣやスマートフォン）と、室内に設置されている表示装置（例えば、プロジェクター）とを連携させることにより、端末内の情報をオブジェクトとして室内の各物体（例えば、机や壁等）に表示させるユーザインターフェース技術（以下、空間ＵＩ技術とも呼ぶ）が登場している。この空間ＵＩ技術では、例えば、異なる物体に表示されたオブジェクトを連携させることや、参加者が手書きで記述した情報（文字等）をオブジェクトとして表示することが可能になる。そのため、各参加者は、空間ＵＩ技術を活用することにより、例えば、端末内の情報や手書きの情報を効率的に共有することが可能になる（例えば、特許文献１参照）。
【先行技術文献】
【特許文献】
【０００３】
【特許文献１】特開２００６−０１９８９５号公報
【発明の概要】
【発明が解決しようとする課題】
【０００４】
上記のような参加者は、例えば、各オブジェクトを所定の基準に従って分類し、分類したオブジェクトごとに表示を行う場合がある。具体的に、参加者は、例えば、各オブジェクトを優先度に応じて分類し、物体上において各優先度に応じて定められた複数のエリアのそれぞれに対し、分類したオブジェクトをそれぞれ表示する。これにより、参加者は、例えば、会議の進行状況等に応じたオブジェクトの表示を行うことが可能になる。
【０００５】
しかしながら、この場合、各オブジェクトが表示されているエリアの意味や各オブジェクトの分類方法は、参加者が自ら管理する必要がある。そのため、例えば、各オブジェクトが表示されているエリアの管理等が適切に行われていない場合、各参加者は、各オブジェクトに対する操作を容易に行うことができなくなる場合がある。
【０００６】
そこで、一つの側面では、本発明は、物体に表示されたオブジェクトの操作性を向上させることを可能とする表示制御プログラム、表示制御装置及び表示制御方法を提供することを目的とする。
【課題を解決するための手段】
【０００７】
実施の形態の一態様では、物体上に複数のエリアをそれぞれ示す複数の情報を表示し、前記複数のエリアのうち、第１のエリアと第２のエリアとの指定を受け付け、エリア内に表示されたオブジェクトを、該エリアに対応付けて記憶する記憶部を参照して、指定された前記第１のエリア内に表示された第１のオブジェクトと、指定された前記第２のエリア内に表示された第２のオブジェクトとを特定し、前記物体上に第３のエリアを示す情報を表示するとともに、前記第３のエリア内に、特定した前記第１のオブジェクトと、前記第２のオブジェクトとを表示する、処理をコンピュータに実行させる。
【発明の効果】
【０００８】
一つの側面によれば、物体に表示されたオブジェクトの操作性を向上させることを可能とする。
【図面の簡単な説明】
【０００９】
【図１】図１は、情報処理システム１０の構成を示す図である。
【図２】図２は、情報処理装置１のハードウエア構成を示す図である。
【図３】図３は、情報処理装置１の機能のブロック図である。
【図４】図４は、第１の実施の形態における表示制御処理の概略を説明するフローチャート図である。
【図５】図５は、第１の実施の形態における表示制御処理の概略を説明するフローチャート図である。
【図６】図６は、第１の実施の形態における表示制御処理の概略を説明するフローチャート図である。
【図７】図７は、第１の実施の形態における表示制御処理の概略を説明するフローチャート図である。
【図８】図８は、第１の実施の形態における表示制御処理の概略を説明するフローチャート図である。
【図９】図９は、第１の実施の形態における表示制御処理の概略を説明するフローチャート図である。
【図１０】図１０は、第１の実施の形態における表示制御処理の詳細を説明するフローチャート図である。
【図１１】図１１は、第１の実施の形態における表示制御処理の詳細を説明するフローチャート図である。
【図１２】図１２は、第１の実施の形態における表示制御処理の詳細を説明するフローチャート図である。
【図１３】図１３は、第１の実施の形態における表示制御処理の詳細を説明するフローチャート図である。
【図１４】図１４は、第１の実施の形態における表示制御処理の詳細を説明するフローチャート図である。
【図１５】図１５は、第１の実施の形態における表示制御処理の詳細を説明するフローチャート図である。
【図１６】図１６は、オブジェクト情報１３２の具体例を説明する図である。
【図１７】図１７は、第１の実施の形態における表示制御処理の詳細を説明する図である。
【図１８】図１８は、第１の実施の形態における表示制御処理の詳細を説明する図である。
【図１９】図１９は、エリア情報１３１の具体例を説明する図である。
【図２０】図２０は、オブジェクト情報１３２の具体例を説明する図である。
【図２１】図２１は、第１の実施の形態における表示制御処理の詳細を説明する図である。
【図２２】図２２は、エリア情報１３１の具体例を説明する図である。
【図２３】図２３は、第１の実施の形態における表示制御処理の詳細を説明する図である。
【図２４】図２４は、エリア情報１３１の具体例を説明する図である。
【図２５】図２５は、オブジェクト情報１３２の具体例を説明する図である。
【図２６】図２６は、第１の実施の形態における表示制御処理の詳細を説明する図である。
【図２７】図２７は、第１の実施の形態における表示制御処理の詳細を説明する図である。
【図２８】図２８は、エリア情報１３１の具体例を説明する図である。
【図２９】図２９は、オブジェクト情報１３２の具体例を説明する図である。
【図３０】図３０は、第１の実施の形態における表示制御処理の詳細を説明する図である。
【図３１】図３１は、エリア情報１３１の具体例を説明する図である。
【図３２】図３２は、オブジェクト情報１３２の具体例を説明する図である。
【図３３】図３３は、第１の実施の形態における表示制御処理の詳細を説明する図である。
【図３４】図３４は、エリア情報１３１の具体例を説明する図である。
【図３５】図３５は、エリア情報１３１の具体例を説明する図である。
【発明を実施するための形態】
【００１０】
［情報処理システムの構成］
図１は、情報処理システム１０の構成を示す図である。図１に示す情報処理システム１０は、情報処理装置１（以下、表示制御装置１とも呼ぶ）と、カメラ（赤外線カメラ）等のセンサ装置２と、プロジェクター等の表示装置３とを有する。センサ装置２及び表示装置３は、例えば、会議室２０に設置された装置である。また、情報処理装置１は、図示しないネットワークを介してセンサ装置２及び表示装置３とアクセスが可能である。以下、会議室２０には、物体１１（以下、机１１とも呼ぶ）が設置されており、参加者２１ａ、２１ｂ、２１ｃ及び２１ｄ（以下、これらを総称して参加者２１とも呼ぶ）による会議が行われているものとする。
【００１１】
図１に示す例において、センサ装置２は、机１１の上面における参加者２１の動作を検知する。具体的に、センサ装置２は、例えば、参加者２１が机１１の上面において手書き文字を記述したことを検知する。そして、センサ装置２は、この場合、例えば、検知した手書き文字を含む画像を情報処理装置１に送信する。
【００１２】
続いて、情報処理装置１は、センサ装置２から手書き文字を含む画像を受信した場合、受信した画像に含まれる手書き文字をデジタル化することによってオブジェクトＯＢを生成する。そして、情報処理装置１は、生成したオブジェクトＯＢを机１１の上面に表示させる旨の指示を表示装置３に送信するとともに、生成したオブジェクトＯＢに関する情報を記憶装置１ａに記憶する。
【００１３】
その後、表示装置３は、情報処理装置１からオブジェクトＯＢを表示させる旨の指示を受信した場合、受信した指示に対応するオブジェクトＯＢを机１１の上面に表示する。
【００１４】
また、図１に示す例において、センサ装置２は、参加者２１が参加者２１のスマートフォン（図示しない）内の情報を机１１に表示するための動作を行ったことを検知する。具体的に、センサ装置２は、例えば、机１１の近傍において参加者２１がスマートフォンを振る動作を検知した場合、参加者２１がスマートフォン内の情報を机１１に表示するための動作を行ったと判定する。そして、センサ装置２は、例えば、参加者２１が机１１の近傍においてスマートフォンを振ったことを検知した場合、参加者２１のスマートフォン内の情報を表示する旨の指示を情報処理装置１に送信する。
【００１５】
続いて、情報処理装置１は、センサ装置２から参加者２１のスマートフォン内の情報の表示を行う旨の指示を受信した場合、参加者２１のスマートフォンにアクセスする。そして、情報処理装置１は、例えば、参加者２１のスマートフォン内の情報のうち、参加者２１によって予め指定された情報を取得し、取得した情報からなるオブジェクトＯＢを生成する。さらに、情報処理装置１は、生成したオブジェクトＯＢを表示させる旨の指示を表示装置３に送信するとともに、生成したオブジェクトＯＢに関する情報を記憶装置１ａに記憶する。
【００１６】
その後、表示装置３は、情報処理装置１からオブジェクトＯＢを表示させる旨の指示を受信した場合、受信した指示に対応するオブジェクトＯＢを机１１の上面に表示する。
【００１７】
また、図１に示す例において、センサ装置２は、参加者２１が机１１の上面に表示済のオブジェクトＯＢの表示位置を変更するための動作を行ったことを検知する。具体的に、センサ装置２は、例えば、ペン型の入力装置（図示しない）を用いることによってオブジェクトＯＢを現在の表示位置から新たな表示位置に移動させる動作を検知した場合、参加者２１がオブジェクトＯＢの表示位置を変更するための動作を行ったと判定する。そして、センサ装置２は、例えば、オブジェクトＯＢを現在の表示位置から新たな表示位置に移動させる動作を検知した場合、オブジェクトＯＢの表示位置を新たな表示位置に変更する旨の指示を情報処理装置１に送信する。
【００１８】
続いて、情報処理装置１は、オブジェクトＯＢの表示位置を変更する旨の指示を受信した場合、現在の表示位置におけるオブジェクトＯＢを非表示にする旨の指示と、新たな表示位置においてオブジェクトＯＢを表示する旨の指示とを表示装置３に送信する。また、情報処理装置１は、オブジェクトＯＢの表示位置の変更に関する情報を記憶装置１ａに記憶する。
【００１９】
その後、表示装置３は、現在の表示位置におけるオブジェクトＯＢを非表示にする旨の指示と、新たな表示位置においてオブジェクトＯＢを表示する旨の指示とを受信した場合、現在の表示位置におけるオブジェクトＯＢを非表示にし、新たな表示位置においてオブジェクトＯＢを表示する。
【００２０】
これにより、情報処理装置１は、例えば、会議の進捗等に合わせた新たなオブジェクトＯＢの表示や、表示済のオブジェクトＯＢの表示位置の変更を容易に行うことが可能になる。
【００２１】
ここで、上記のような参加者２１は、会議の進捗等に応じて、例えば、各オブジェクトＯＢを所定の基準に従って分類し、分類したオブジェクトＯＢごとに表示を行う場合がある。具体的に、参加者２１は、例えば、各オブジェクトＯＢを優先度に応じて複数に分類し、机１１の上面における各優先度に対応するエリアのそれぞれに、分類したオブジェクトＯＢをそれぞれ表示する。これにより、参加者２１は、例えば、会議の進行状況等に応じたオブジェクトＯＢの表示を行うことが可能になる。
【００２２】
しかしながら、この場合、各オブジェクトＯＢが表示されているエリアの意味や各エリアに表示されているオブジェクトＯＢの数は、参加者２１が自ら管理する必要がある。そのため、例えば、遠隔地（会議室２０以外の場所）から会議に参加している参加者２１との連携不足等によって、各エリアに表示されているオブジェクトＯＢの数等の管理が適切に行われていない場合、各参加者２１は、各エリアに表示されたオブジェクトＯＢの操作を容易に行うことができなくなる場合がある。
【００２３】
そこで、本実施の形態における情報処理装置１は、物体１１上の複数のエリアをそれぞれ示す複数の情報（例えば、各エリアの名称が記述されたラベル）を表示する。そして、情報処理装置１は、複数のエリアのうち、例えば、第１のエリアと第２のエリアとの指定を受け付ける。
【００２４】
続いて、情報処理装置１は、エリア内に表示されたオブジェクトＯＢを各エリアに対応付けて記憶する記憶装置１ａを参照して、指定された第１のエリア内に表示されたオブジェクトＯＢ（以下、第１のオブジェクトＯＢａとも呼ぶ）と、指定された第２のエリア内に表示されたオブジェクトＯＢ（以下、第２のオブジェクトＯＢｂとも呼ぶ）とを特定する。
【００２５】
その後、情報処理装置１は、例えば、物体１１上に第３のエリアを示す情報を表示するとともに、第３のエリア内に、特定した第１のオブジェクトＯＢａと第２のオブジェクトＯＢｂとを表示する。
【００２６】
すなわち、情報処理装置１は、例えば、参加者２１が入力した情報に基づいて、物体１１上において複数のエリアを予め定義する。そして、情報処理装置１は、複数のエリアのそれぞれを示す情報を予め記憶装置１ａに記憶しておく。
【００２７】
その後、情報処理装置１は、例えば、複数のエリアのうち、第１のエリアと第２のエリアとを合併して第３のエリアを定義する旨の指示があった場合、記憶装置１ａに予め記憶された情報を参照する。そして、情報処理装置１は、第１のエリア及び第２のエリアのそれぞれに表示されていたオブジェクトＯＢ（第１のオブジェクトＯＢａ及び第２のオブジェクトＯＢｂ）を特定し、特定したオブジェクトＯＢのそれぞれを第３のエリアに表示する。
【００２８】
これにより、情報処理装置１は、参加者２１によって決定された各エリアを示す情報をそれぞれ管理することが可能になる。そのため、参加者２１は、各エリアを示す情報の管理を自ら行うことなく、各エリアに表示されたオブジェクトＯＢの操作を容易に行うことが可能になる。具体的に、参加者２１は、例えば、物体１１に表示されたオブジェクトＯＢの表示位置の移動や、物体１１上に定義された複数のエリアの合併等の操作を容易に行うことが可能になる。
【００２９】
［情報処理システムのハードウエア構成］
次に、情報処理システム１０のハードウエア構成について説明する。図２は、情報処理装置１のハードウエア構成を示す図である。
【００３０】
情報処理装置１は、図２に示すように、プロセッサであるＣＰＵ１０１と、メモリ１０２と、外部インターフェース１０３（以下、Ｉ／Ｏユニット１０３とも呼ぶ）と、記憶媒体１０４とを有する。各部は、バス１０５を介して互いに接続される。
【００３１】
記憶媒体１０４は、例えば、記憶媒体１０４内のプログラム格納領域（図示しない）に、物体１１上におけるオブジェクトＯＢの表示を制御する処理（以下、表示制御処理とも呼ぶ）を行うためのプログラム１１０を記憶する。記憶媒体１０４は、例えば、ＨＤＤ（Ｈａｒｄ  Ｄｉｓｋ  Ｄｒｉｖｅ）であってよい。
【００３２】
また、記憶媒体１０４は、例えば、表示制御処理を行う際に用いられる情報を記憶する記憶部１３０（以下、情報格納領域１３０とも呼ぶ）を有する。なお、情報格納領域１３０は、例えば、図１に示す記憶装置１ａであってよい。
【００３３】
ＣＰＵ１０１は、記憶媒体１０４からメモリ１０２にロードされたプログラム１１０を実行して表示制御処理を行う。
【００３４】
外部インターフェース１０３は、例えば、ネットワーク（図示しない）を介してセンサ装置２及び表示装置３と通信を行う。
【００３５】
［情報処理装置の機能］
次に、情報処理装置１の機能について説明する。図３は、情報処理装置１の機能のブロック図である。
【００３６】
情報処理装置１は、ＣＰＵ１０１やメモリ１０２等のハードウエアとプログラム１１０とが有機的に協働することにより、図３に示すように、情報表示部１１１と、指定受付部１１２と、オブジェクト特定部１１３と、オブジェクト表示部１１４と、情報管理部１１５と、エリア特定部１１６とを含む各種機能を実現する。
【００３７】
また、情報処理装置１は、図３に示すように、エリア情報１３１と、オブジェクト情報１３２とを情報格納領域１３０に記憶する。
【００３８】
エリア情報１３１は、例えば、複数のエリアのそれぞれについての情報である。具体的に、エリア情報１３１は、例えば、複数のエリアのそれぞれについて定められた名称等を示す情報であるラベル情報と、複数のエリアのそれぞれに表示されるオブジェクトＯＢの数を示すオブジェクト数情報と、複数のエリアの範囲（座標）を示す座標情報とを含む。エリア情報１３１の具体例については後述する。
【００３９】
オブジェクト情報１３２は、例えば、各オブジェクトＯＢについての情報である。具体的に、オブジェクト情報１３２は、例えば、各オブジェクトＯＢの表示位置（座標）を示す位置情報と、各オブジェクトＯＢが表示されるエリアを示す表示エリア情報とを含む情報である。オブジェクト情報１３２の具体例については後述する。
【００４０】
情報表示部１１１は、机１１の上面に複数のエリアをそれぞれ示すラベル情報等を表示する。具体的に、情報表示部１１１は、例えば、情報格納領域１３０に記憶されたエリア情報１３１を参照し、机１１の上面における複数のエリアのそれぞれに、各エリアに対応するラベル情報とオブジェクト数情報とを表示する。
【００４１】
また、情報表示部１１１は、机１１の上面における複数のエリアのそれぞれに、各エリアに対応するオブジェクトＯＢを表示する。具体的に、情報表示部１１１は、例えば、情報格納領域１３０に記憶されたオブジェクト情報１３２を参照し、机１１の上面における複数のエリアのそれぞれに、各エリアに対応するオブジェクトＯＢを表示する。
【００４２】
指定受付部１１２は、複数のエリアのうち、第１のエリアと第２のエリアとの指定を受け付ける。具体的に、指定受付部１１２は、例えば、参加者２１がペン型の入力装置を用いることによって、第１のエリア及び第２のエリアの指定と、第１のエリア及び第２のエリアを合併させて新たなエリア（第３のエリア）を定義する旨の指定とを行った場合、これらの指定を受け付ける。
【００４３】
オブジェクト特定部１１３は、情報格納領域１３０に記憶されたオブジェクト情報１３２を参照して、指定受付部１１２が指定を受け付けた第１のエリア内に表示された第１のオブジェクトＯＢａと、第２のエリア内に表示された第２のオブジェクトＯＢｂとを特定する。
【００４４】
オブジェクト表示部１１４は、机１１の上面において第３のエリアを示す情報を表示する。具体的に、オブジェクト表示部１１４は、例えば、情報格納領域１３０に記憶されたエリア情報１３１を参照し、第１のエリア及び第２のエリアのそれぞれに対応するラベル情報及びオブジェクト数情報から、第３のエリアに対応するラベル情報及びオブジェクト数情報を生成して表示する。
【００４５】
また、オブジェクト表示部１１４は、机１１の上面における第３のエリア内に、オブジェクト特定部１１３が特定した第１のオブジェクトＯＢａと第２のオブジェクトＯＢｂとを表示する。
【００４６】
情報管理部１１５は、第１のオブジェクトＯＢａと第２のオブジェクトＯＢｂとが第３のエリアに対応するように、情報格納領域１３０に記憶されたエリア情報１３１とオブジェクト情報１３２とを更新する。
【００４７】
また、指定受付部１１２は、机１１の上面における特定のエリアを複数のエリア（以下、分割エリアとも呼ぶ）に分割する分割位置の指定を受け付ける。具体的に、指定受付部１１２は、例えば、参加者２１がペン型の入力装置を用いることによって特定のエリアにおける分割位置の指定を行った場合、この指定を受け付ける。
【００４８】
オブジェクト特定部１１３は、指定受付部１１２が分割位置の指定を受け付けた場合、情報格納領域１３０に記憶されたオブジェクト情報１３２を参照して、特定のエリア内に表示されるオブジェクトＯＢと各オブジェクトＯＢの表示位置とを特定する。
【００４９】
エリア特定部１１６は、オブジェクト特定部１１３が特定した各オブジェクトＯＢの表示位置と、指定受付部１１２が指定を受け付けた分割位置とに基づき、特定のエリアから分割される複数の分割エリアのうち、オブジェクト特定部１１３が特定したオブジェクトＯＢのそれぞれが含まれる分割エリアを特定する。
【００５０】
オブジェクト表示部１１４は、机１１の上面において複数の分割エリアを示す情報を表示する。具体的に、オブジェクト表示部１１４は、例えば、情報格納領域１３０に記憶されたエリア情報１３１を参照し、特定のエリアのそれぞれに対応するラベル情報から、複数の分割エリアのそれぞれに対応するラベル情報を生成して表示する。
【００５１】
また、オブジェクト表示部１１４は、机１１の上面における複数の分割エリアのそれぞれに、オブジェクト特定部１１３が特定したオブジェクトＯＢのうち、それぞれのエリアに対応するオブジェクトＯＢを表示する。
【００５２】
情報管理部１１５は、オブジェクト特定部１１３が特定したオブジェクトＯＢのうち、それぞれのエリアに対応するオブジェクトＯＢが複数の分割エリアそれぞれに対応するように、情報格納領域１３０に記憶されたエリア情報１３１とオブジェクト情報１３２とを更新する。
【００５３】
［第１の実施の形態の概略］
次に、第１の実施の形態の概略について説明する。図４から図９は、第１の実施の形態における表示制御処理の概略を説明するフローチャート図である。
【００５４】
［エリア合併処理の概略（１）］
初めに、表示制御処理のうち、エリアの合併を行う処理（以下、エリア合併処理とも呼ぶ）の概略について説明を行う。図４は、エリア合併処理の概略を説明するフローチャート図である。
【００５５】
情報処理装置１は、図４に示すように、情報表示タイミングになるまで待機する（Ｓ１のＮＯ）。情報表示タイミングは、例えば、参加者２１がペン型の入力装置を用いることによって、各エリアを示す情報をそれぞれ表示する旨の入力を行ったタイミングであってよい。
【００５６】
そして、情報表示タイミングになった場合（Ｓ１のＹＥＳ）、情報処理装置１は、物体１１上に複数のエリアをそれぞれ示す複数の情報を表示する（Ｓ２）。
【００５７】
その後、情報処理装置１は、複数のエリアのうち、第１のエリアと第２のエリアとの指定を受け付けるまで待機する（Ｓ３のＮＯ）。
【００５８】
そして、第１のエリアと第２のエリアとの指定を受け付けた場合（Ｓ３のＹＥＳ）、情報処理装置１は、エリア内に表示されたオブジェクトＯＢを各エリアに対応付けて記憶する情報格納領域１３０を参照して、Ｓ３の処理で指定を受け付けた第１のエリア内に表示された第１のオブジェクトＯＢａと、Ｓ３の処理で指定を受け付けた第２のエリア内に表示された第２のオブジェクトＯＢｂとを特定する（Ｓ４）。
【００５９】
具体的に、情報処理装置１は、例えば、情報格納領域１３０に記憶されたオブジェクト情報１３２を参照して、第１のオブジェクトＯＢａ及び第２のオブジェクトＯＢｂの特定を行う。
【００６０】
その後、情報処理装置１は、物体１１上に第３のエリアを示す情報を表示するとともに、第３のエリア内に、Ｓ４の処理で特定した第１のオブジェクトＯＢａと第２のオブジェクトＯＢｂとを表示する（Ｓ５）。
【００６１】
具体的に、情報処理装置１は、例えば、情報格納領域１３０に記憶されたエリア情報１３１を参照し、第３のエリアを示す情報を特定する。そして、情報処理装置１は、特定した第３のエリアを示す情報と、第１のオブジェクトＯＢａ及び第２のオブジェクトＯＢｂとの表示を行う。
【００６２】
すなわち、情報処理装置１は、例えば、参加者２１が入力した情報に基づいて、物体１１上において複数のエリアを予め定義する。そして、情報処理装置１は、複数のエリアのそれぞれを示す情報を予め記憶装置１ａに記憶しておく。
【００６３】
その後、情報処理装置１は、例えば、複数のエリアのうち、第１のエリアと第２のエリアとを合併して第３のエリアを定義する旨の指示があった場合、情報格納領域１３０に予め記憶された情報を参照する。そして、情報処理装置１は、第１のエリア及び第２のエリアのそれぞれに表示されていたオブジェクトＯＢ（第１のオブジェクトＯＢａ及び第２のオブジェクトＯＢｂ）を特定し、特定したオブジェクトＯＢのそれぞれを第３のエリアに表示する。
【００６４】
これにより、情報処理装置１は、参加者２１によって決定された各エリアを示す情報をそれぞれ管理することが可能になる。そのため、参加者２１は、各エリアを示す情報の管理を自ら行うことなく、エリアの合併を容易に行うことが可能になる。
【００６５】
なお、第３のエリアは、第１のエリアと第２のエリアとを合わせたエリアであってもよく、第１のエリア及び第２のエリアと異なるエリアであってもよい。また、第１のエリアと第２のエリアは、物体１１の上面において互いに隣接するエリアであってもよく、物体１１の上面において互いに隣接しないエリアであってもよい。
【００６６】
［エリア分割処理の概略］
次に、表示制御処理のうち、エリアの分割を行う処理（以下、エリア分割処理とも呼ぶ）の概略について説明を行う。図５及び図６は、エリア分割処理の概略を説明するフローチャート図である。
【００６７】
情報処理装置１は、図５に示すように、情報表示タイミングになるまで待機する（Ｓ１１のＮＯ）。そして、情報表示タイミングになった場合（Ｓ１１のＹＥＳ）、情報処理装置１は、物体１１上に複数のエリアをそれぞれ示す複数の情報を表示する（Ｓ１２）。
【００６８】
その後、情報処理装置１は、Ｓ１２の処理で複数の情報を表示した複数のエリアのうち、特定のエリアを分割する分割位置の指定を受け付けるまで待機する（Ｓ１３のＮＯ）。
【００６９】
そして、特定のエリアを分割する分割位置の指定を受け付けた場合（Ｓ１３のＹＥＳ）、情報処理装置１は、エリア内に表示されたオブジェクトＯＢと各オブジェクトＯＢの表示位置とを各エリアに対応付けて記憶する情報格納領域１３０を参照して、Ｓ１３の処理で指定を受け付けた特定のエリア内に表示されたオブジェクトＯＢと、各オブジェクトＯＢの表示位置とを特定する（Ｓ１４）。
【００７０】
具体的に、情報処理装置１は、例えば、情報格納領域１３０に記憶されたオブジェクト情報１３２を参照して、特定のエリア内に表示されたオブジェクトＯＢ及び各オブジェクトＯＢの表示位置の特定を行う。
【００７１】
続いて、情報処理装置１は、図６に示すように、Ｓ１４の処理で特定したオブジェクトＯＢの表示位置と、Ｓ１３の処理で指定を受け付けた分割位置とに基づき、Ｓ１３の処理で指定を受け付けた分割位置によって分割される複数の分割エリアのうち、Ｓ１４の処理で特定したオブジェクトＯＢそれぞれが含まれる分割エリアを特定する（Ｓ２１）。
【００７２】
その後、情報処理装置１は、Ｓ１３の処理で指定を受け付けた分割位置によって分割される複数の分割エリアをそれぞれ示す複数の情報を物体１１上に表示するとともに、その複数の分割エリアそれぞれに、Ｓ１４の処理で特定したオブジェクトＯＢのうち、それぞれの分割エリアに対応するオブジェクトＯＢを表示する（Ｓ２２）。
【００７３】
具体的に、情報処理装置１は、例えば、情報格納領域１３０に記憶されたエリア情報１３１を参照し、特定のエリアを示す情報を特定する。そして、情報処理装置１は、特定した情報に基づいて、分割位置によって分割される複数の分割エリアをそれぞれ示す情報を生成する。その後、情報処理装置１は、分割位置によって分割される複数の分割エリアごとに、生成した各分割エリアを示す情報と、各分割エリアに対応するオブジェクトＯＢとを表示する。
【００７４】
すなわち、情報処理装置１は、例えば、特定のエリアを分割する旨の指示があった場合、情報格納領域１３０に予め記憶されたエリア情報１３１とオブジェクト情報１３２とを参照し、各分割エリアを示す情報と、各分割エリアに対応するオブジェクトＯＢとの表示を行う。
【００７５】
これにより、参加者２１は、各エリアを示す情報の管理を自ら行うことなく、エリアの分割を容易に行うことが可能になる。
【００７６】
［オブジェクト配置処理の概略］
次に、表示制御処理のうち、いずれかのエリアに新たなオブジェクトＯＢの配置を行う処理（以下、オブジェクト配置処理とも呼ぶ）の概略について説明を行う。図７は、オブジェクト配置処理の概略を説明するフローチャート図である。
【００７７】
情報処理装置１は、図７に示すように、情報表示タイミングになるまで待機する（Ｓ３１のＮＯ）。そして、情報表示タイミングになった場合（Ｓ３１のＹＥＳ）、情報処理装置１は、物体１１上に複数のエリアをそれぞれ示す複数の情報を表示する（Ｓ３２）。
【００７８】
その後、情報処理装置１は、複数のエリアのうち、いずれかのエリア内にオブジェクトＯＢを配置する動作を検知するまで待機する（Ｓ３３のＮＯ）。
【００７９】
そして、いずれかのエリア内においてオブジェクトＯＢを配置する動作を検知した場合（Ｓ３３のＹＥＳ）、情報処理装置１は、互いに関連付けられた複数のエリアに関する情報を記憶する情報格納領域１３０を参照して、Ｓ３３の処理で配置する動作を検知したオブジェクトＯＢが配置されるエリアに対応付けられたエリアを特定する（Ｓ３４）。
【００８０】
具体的に、情報処理装置１は、例えば、情報格納領域１３０に記憶されたエリア情報１３１を参照し、新たなオブジェクトＯＢが配置される位置を含むエリアの特定を行う。
【００８１】
その後、情報処理装置１は、Ｓ３４の処理で特定したエリア内に、Ｓ３３の処理で配置する動作を検知したオブジェクトＯＢを表示する（Ｓ３５）。
【００８２】
これにより、参加者２１は、各エリアを示す情報の管理を自ら行うことなく、各エリアに対する新たなオブジェクトＯＢの配置を容易に行うことが可能になる。
【００８３】
［配置数算出処理の概略］
次に、表示制御処理のうち、各エリアに表示（配置）されるオブジェクトＯＢの数を算出する処理（以下、配置数算出処理とも呼ぶ）の概略について説明を行う。図８は、配置数算出処理の概略を説明するフローチャート図である。
【００８４】
情報処理装置１は、図８に示すように、物体１１上に複数のエリアをそれぞれ示す複数の情報を表示させる操作を受け付けるまで待機する（Ｓ４１のＮＯ）。
【００８５】
具体的に、情報処理装置１は、例えば、参加者２１がペン型の入力装置等を用いることによって、各エリアを示す情報を表示する旨の入力を行うまで待機する。
【００８６】
そして、物体１１上に複数のエリアをそれぞれ示す複数の情報を表示させる操作を受け付けた場合（Ｓ４１のＹＥＳ）、情報処理装置１は、物体１１上に表示されたオブジェクトＯＢの位置を各オブジェクトＯＢに対応付けて記憶する情報格納領域１３０を参照して、複数のエリアにそれぞれ含まれるオブジェクトＯＢの数を算出する（Ｓ４２）。
【００８７】
具体的に、情報処理装置１は、情報格納領域１３０に記憶されたオブジェクト情報１３２を参照して、各エリアに含まれるオブジェクトＯＢの数の算出を行う。
【００８８】
その後、情報処理装置１は、Ｓ４２の処理で算出したオブジェクトＯＢの数を、複数のエリアのうち、対応するエリアに対応付けて表示する（Ｓ４３）。
【００８９】
これにより、参加者２１は、各エリアを示す情報の管理を自ら行うことなく、各エリアに含まれるオブジェクト数の算出を容易に行うことが可能になる。
【００９０】
［エリア合併処理の概略（２）］
次に、表示制御処理のうち、他のエリア合併処理の概略について説明を行う。図９は、他のエリア合併処理の概略を説明するフローチャート図である。
【００９１】
情報処理装置１は、図９に示すように、情報表示タイミングになるまで待機する（Ｓ５１のＮＯ）。そして、情報表示タイミングになった場合（Ｓ５１のＹＥＳ）、情報処理装置１は、物体１１上に複数のエリアをそれぞれ示す複数の情報を表示する（Ｓ５２）。
【００９２】
その後、情報処理装置１は、複数のエリアのうち、第１のエリアと第２のエリアとの指定を受け付けるまで待機する（Ｓ５３のＮＯ）。
【００９３】
そして、第１のエリアと第２のエリアとの指定を受け付けた場合（Ｓ５３のＹＥＳ）、情報処理装置１は、エリア内に表示されたオブジェクトＯＢを各エリアに対応付けて記憶する情報格納領域１３０を参照して、Ｓ５３の処理で指定された第１のエリア及び第２のエリアにそれぞれオブジェクトＯＢが表示されているか否かを判定する（Ｓ５４）。
【００９４】
具体的に、情報処理装置１は、例えば、情報格納領域１３０に記憶されたオブジェクト情報１３２を参照して、第１のエリア及び第２のエリアにそれぞれオブジェクトＯＢが表示されているか否かの判定を行う。
【００９５】
その結果、Ｓ５３の処理で指定された第１のエリア及び第２のエリアにそれぞれオブジェクトＯＢが表示されていると判定した場合（Ｓ５５のＹＥＳ）、情報処理装置１は、物体１１上に第３のエリアを示す情報を表示するとともに、Ｓ５４の処理で表示されていると判定した第１のエリアに表示されたオブジェクトＯＢと第２のエリアに表示されたオブジェクトＯＢとを第３のエリアに表示する（Ｓ５６）。
【００９６】
具体的に、情報処理装置１は、例えば、情報格納領域１３０に記憶されたエリア情報１３１を参照し、第３のエリアを示す情報を特定する。そして、情報処理装置１は、特定した第３のエリアを示す情報と、第１のオブジェクトＯＢａ及び第２のオブジェクトＯＢｂとの表示を行う。
【００９７】
一方、Ｓ５３の処理で指定された第１のエリア及び第２のエリアにそれぞれオブジェクトＯＢが表示されていないと判定した場合（Ｓ５５のＮＯ）、情報処理装置１は、Ｓ５６の処理を行わない。
【００９８】
これにより、参加者２１は、各エリアを示す情報の管理を自ら行うことなく、エリアの合併を容易に行うことが可能になる。
【００９９】
［第１の実施の形態の詳細］
次に、第１の実施の形態について説明する。図１０から図１５は、第１の実施の形態における表示制御処理の詳細を説明するフローチャート図である。また、図１６から図３５は、第１の実施の形態における表示制御処理の詳細を説明する図である。図１６から図３５を参照しながら、図１０から図１５の表示制御処理の詳細を説明する。
【０１００】
［オブジェクト配置処理の詳細（１）］
初めに、オブジェクト配置処理のうちの一部の処理の詳細について説明を行う。図１０は、オブジェクト配置処理の詳細を説明するフローチャート図である。
【０１０１】
情報処理装置１の指定受付部１１２は、図１０に示すように、オブジェクトＯＢの配置を行う旨の指定を受け付けるまで待機する（Ｓ６１のＮＯ）。
【０１０２】
具体的に、指定受付部１１２は、例えば、参加者２１がペン型の入力装置を用いることによって、新たなオブジェクトＯＢの配置を行う旨の指定と新たなオブジェクトＯＢの表示位置の指定を行うまで待機する。
【０１０３】
なお、参加者２１は、例えば、ペン型の入力装置の先端を机１１の上面に一定時間接触させることによって、机１１の上面において各種指定を行うためのメニュー画面（図示しない）を表示させるものであってよい。そして、参加者２１は、例えば、表示されたメニュー画面に含まれる選択可能項目のうち、新たなオブジェクトＯＢの配置を行う旨に対応する項目の選択を行うことによって、新たなオブジェクトＯＢの配置を行う旨の指定を行うものであってよい。
【０１０４】
その後、オブジェクトＯＢの配置を行う旨の指定を受け付けた場合（Ｓ６１のＹＥＳ）、情報処理装置１の情報管理部１１５は、Ｓ６１の処理で受け付けた指定の内容に応じて、情報格納領域１３０に記憶されたエリア情報１３１とオブジェクト情報１３２とを更新する（Ｓ６２）。
【０１０５】
なお、１以上のエリアの定義がまだ行われていない場合（エリア情報１３１が情報格納領域１３０に記憶されていない場合）、情報管理部１１５は、Ｓ６２の処理において、オブジェクト情報１３２の更新のみを行う。以下、１以上のエリアの定義がまだ行われていない場合におけるオブジェクト情報１３２の具体例について説明を行う。
【０１０６】
［オブジェクト情報の具体例］
図１６、図２０、図２５、図２９及び図３２は、オブジェクト情報１３２の具体例を説明する図である。具体的に、図１６は、１以上のエリアの定義がまだ行われていない場合におけるオブジェクト情報１３２の具体例を説明する図である。
【０１０７】
図１６等に示すオブジェクト情報１３２は、オブジェクト情報１３２に含まれる各情報を識別する「項番」と、各オブジェクトＯＢの識別情報が設定される「識別情報」と、各オブジェクトＯＢの種別が設定される「種別」とを項目として有している。「種別」には、例えば、参加者２１がペン型の入力装置を用いることによって記述した文字から生成されたオブジェクトであることを示す「手書き入力」や、入力された画像データから生成されたオブジェクトであることを示す「画像」が設定される。また、図１６等に示すオブジェクト情報１３２は、各オブジェクトＯＢの机１１上における表示位置（位置情報）が設定される「座標」と、各オブジェクトＯＢが表示されるエリアの識別情報（表示エリア情報）が設定される「エリア」とを項目として有している。
【０１０８】
具体的に、図１６に示すオブジェクト情報１３２において、例えば、「項番」が「１」である情報には、「識別情報」として「ＯＢ０１」が設定され、「種別」として「手書き入力」が設定され、「座標」として「（２５，１２）」が設定されている。また、図１６に示すオブジェクト情報１３２において、例えば、「項番」が「１」である情報には、「エリア」として、情報がまだ設定されていないことを示す「−」が設定されている。
【０１０９】
そして、図１６に示すオブジェクト情報１３２において、例えば、「項番」が「５」である情報には、「識別情報」として「ＯＢ０５」が設定され、「種別」として「画像」が設定され、「座標」として「（８０，５８）」が設定されている。また、図１６に示すオブジェクト情報１３２において、例えば、「項番」が「５」である情報には、「エリア」として「−」が設定されている。図１６に含まれる他の情報についての説明は省略する。
【０１１０】
図１０に戻り、情報処理装置１のエリア特定部１１６は、情報格納領域１３０に記憶されたエリア情報１３１を参照して、１以上のエリアが定義済であるか否かを判定する（Ｓ６３）。
【０１１１】
その結果、１以上のエリアが定義済でないと判定した場合（Ｓ６３のＮＯ）、情報処理装置１のオブジェクト表示部１１４は、Ｓ６１の処理で指定を受け付けたオブジェクトＯＢを表示する（Ｓ６４）。その後、情報処理装置１は、オブジェクト配置処理を終了する。
【０１１２】
具体的に、オブジェクト表示部１１４は、図１７に示すように、机１１の上面において、Ｓ６１の処理で指定を受け付けたオブジェクトＯＢ（例えば、オブジェクトＯＢ１１）の表示を行う。なお、図１７に示す例では、オブジェクトＯＢ０１からオブジェクトＯＢ１１までの各オブジェクトＯＢが机１１の上面に表示されている。
【０１１３】
これにより、参加者２１は、各エリアを示す情報の管理を自ら行うことなく、各エリアに対する新たなオブジェクトＯＢの配置を容易に行うことが可能になる。
【０１１４】
［エリア定義処理］
次に、エリアの定義を行う処理（以下、エリア定義処理とも呼ぶ）について説明を行う。具体的に、図１１は、エリア定義処理を説明するフローチャート図である。なお、図１１に示すフローチャートには、配置数算出処理の詳細に対応する処理が含まれている。
【０１１５】
指定受付部１１２は、図１１に示すように、エリアの定義を行う旨の指定を受け付けるまで待機する（Ｓ７１のＮＯ）。
【０１１６】
具体的に、指定受付部１１２は、図１８に示すように、例えば、参加者２１がペン型の入力装置を用いることによって、机１１の上面においてエリアの定義を行う旨の指定と、エリアの境界線である境界線ＢＤ１及び境界線ＢＤ２の指定とを行うまで待機する。図１８に示す例では、境界線ＢＤ１及び境界線ＢＤ２が指定されたことにより、机１１の上面がエリアＡＲ１、エリアＡＲ２、エリアＡＲ３及びエリアＡＲ４に分割されている。
【０１１７】
なお、ペン型の入力装置は、例えば、机１１の上面において通過した位置を赤外線で照射するものであってよい、そして、情報処理装置１は、センサ装置２がペン型の入力装置によって照射された赤外線を検知することにより、ペン型の入力装置が移動した軌跡の座標（例えば、境界線ＢＤ１及び境界線ＤＢ２の座標）を特定するものであってよい。
【０１１８】
その後、エリアの定義を行う旨の指定を受け付けた場合（Ｓ７１のＹＥＳ）、情報処理装置１のオブジェクト特定部１１３は、情報格納領域１３０に記憶されたオブジェクト情報１３２を参照して、Ｓ７１の処理で指定を受け付けたエリアに表示されているオブジェクトＯＢと、各オブジェクトＯＢの表示位置とを特定する（Ｓ７２）。
【０１１９】
具体的に、オブジェクト特定部１１３は、例えば、机１１の上面の周囲の座標と境界線ＢＤ１及び境界線ＢＤ２の座標とから、各エリア（エリアＡＲ１、エリアＡＲ２、エリアＡＲ３及びエリアＡＲ４）の範囲を特定する。そして、オブジェクト特定部１１３は、例えば、図１６に示すオブジェクト情報１３２を参照し、各エリアの範囲に含まれる座標が「座標」に設定されている情報の「識別情報」に設定された情報を特定することにより、各エリアに含まれている座標に表示されるオブジェクトＯＢを特定する。
【０１２０】
続いて、オブジェクト表示部１１４は、Ｓ７１の処理で指定を受け付けたエリアに含まれるオブジェクトＯＢの数を算出する（Ｓ７３）。
【０１２１】
具体的に、図１８に示す例において、例えば、エリアＡＲ１には、オブジェクトＯＢ０１及びオブジェクトＯＢ０２が含まれている。そのため、オブジェクト特定部１１３は、例えば、エリアＡＲ１の範囲に座標が含まれるオブジェクトＯＢの数として「２」を特定する。
【０１２２】
その後、情報管理部１１５は、情報格納領域１３０に記憶されたエリア情報１３１とオブジェクト情報１３２とを更新する（Ｓ７４）。以下、エリア情報１３１の具体例について説明を行う。
【０１２３】
［エリア情報の具体例］
図１９、図２２、図２４、図２８、図３１、図３４及び図３５は、エリア情報１３１の具体例を説明する図である。
【０１２４】
図１９等に示すエリア情報１３１は、エリア情報１３１に含まれる各情報を識別する「項番」と、各エリアの識別情報が設定される「識別情報」と、各エリアの名称を示す情報（ラベル情報）が設定される「ラベル情報」とを項目として有する。また、図１９等に示すエリア情報１３１は、各エリアに含まれるオブジェクトの数を示す情報（オブジェクト数情報）が設定される「オブジェクト数」と、各エリアの周囲の座標（座標情報）が設定される「座標（境界線）」とを項目として有する。
【０１２５】
具体的に、図１９に示すエリア情報１３１において、「項番」が「１」である情報には、「識別情報」として「ＡＲ１」が設定され、「ラベル情報」として「領域Ａ」が設定され、「オブジェクト数」として「２」が設定され、「座標（境界線）」として「（５０，５），（５２，１４），（４９，２０）・・・」が設定されている。
【０１２６】
また、図１９に示すエリア情報１３１において、「項番」が「３」である情報には、「識別情報」として「ＡＲ３」が設定され、「ラベル情報」として「領域Ｃ」が設定され、「オブジェクト数」として「３」が設定され、「座標（境界線）」として「（４９，７８），（５０，８４），（５０，９０）・・・」が設定されている。図１９に含まれる他の情報についての説明は省略する。
【０１２７】
さらに、情報管理部１１５は、Ｓ７４の処理において、情報格納領域１３０に記憶されたオブジェクト情報１３２の「エリア」に対して、各オブジェクトＯＢが含まれているエリアの識別情報を設定する。
【０１２８】
具体的に、情報管理部１１５は、図２０の下線部分に示すように、例えば、図１７に示すオブジェクト情報１３２における「識別情報」に「ＯＢ０１」及び「ＯＢ０２」が設定された情報の「エリア」に、それぞれ「ＡＲ１」を設定する。
【０１２９】
図１１に戻り、情報処理装置１の情報表示部１１１は、Ｓ７１の処理で指定を受け付けたエリアの名称を示す情報と、Ｓ７３の処理で算出したオブジェクトの数とを物体１１上に表示する（Ｓ７５）。
【０１３０】
そして、オブジェクト表示部１１４は、Ｓ７１の処理で指定を受け付けたエリアに、Ｓ７２で特定したオブジェクトを表示する（Ｓ７６）。その後、情報処理装置１は、エリア定義処理を終了する。
【０１３１】
具体的に、図１９に示すエリア情報１３１において、例えば、「識別情報」に「ＡＲ１」が設定された情報には、「ラベル情報」として「領域Ａ」が設定され、「オブジェクト数」として「２」が設定されている。そのため、情報表示部１１１は、図２１に示すように、例えば、机１１の上面におけるエリアＡＲ１の範囲内に、「領域Ａ」を示す情報と「２件」を示す情報とを含むラベルＬＢ１を表示する。
【０１３２】
また、図２０に示すオブジェクト情報１３２において、例えば、「識別情報」に「ＯＢ０１」及び「ＯＢ０２」が設定された情報の「エリア」には、それぞれ「ＡＲ１」が設定されている。そのため、オブジェクト表示部１１４は、図２１に示すように、例えば、エリアＡＲ１の範囲内において、オブジェクトＯＢ０１及びオブジェクトＯＢ０２を表示する。
【０１３３】
これにより、参加者２１は、各エリアを示す情報の管理を自ら行うことなく、新たなエリアの定義を容易に行うことが可能になる。
【０１３４】
なお、例えば、参加者２１からラベル情報の変更を行う旨の入力があった場合、情報管理部１１５は、入力された情報に基づいて、情報格納領域１３０に記憶されたエリア情報１３１の更新を行うものであってもよい。
【０１３５】
具体的に、例えば、エリアＡＲ１、エリアＡＲ２、エリアＡＲ３及びエリアＡＲ４のラベル情報を、それぞれ大阪、東京、札幌及び福岡に変更する旨の情報が入力された場合、情報管理部１１５は、図２２の下線部分に示すように、「識別情報」が「ＡＲ１」、「ＡＲ２」、「ＡＲ３」及び「ＡＲ４」である情報の「ラベル情報」を、それぞれ「大阪」、「東京」、「札幌」及び「福岡」に更新するものであってよい。
【０１３６】
そして、情報表示部１１１は、この場合、図２３に示すように、例えば、エリアＡＲ１の範囲内に、「大阪」を示す情報と「２件」を示す情報とを含むラベルＬＢ１を表示するものであってよい。
【０１３７】
［エリア合併処理の詳細］
次に、エリア合併処理の詳細について説明を行う。図１２及び図１３は、エリア合併処理の詳細を説明するフローチャート図である。なお、図１２及び図１３に示すフローチャートには、配置数算出処理の詳細に対応する処理が含まれている。
【０１３８】
指定受付部１１２は、図１２に示すように、定義済のエリアのうち、第１のエリアと第２のエリアとの合併を行う旨の指定を受け付けるまで待機する（Ｓ８１のＮＯ）。
【０１３９】
具体的に、指定受付部１１２は、例えば、参加者２１がペン型の入力装置を用いて第１のエリアと第２のエリアとの合併を行う旨の指定を行うまで待機する。
【０１４０】
なお、参加者２１は、例えば、机１１の上面において表示されたメニュー画面に含まれる選択可能項目のうち、エリアの合併を行う旨に対応する項目の選択と、合併が行われるエリアが第１のエリア及び第２のエリアである旨に対応する項目の選択とを行うことによって、第１のエリアと第２のエリアとの合併を行う旨の指定を行うものであってよい。
【０１４１】
そして、第１のエリアと第２のエリアとの合併を行う旨の指定を受け付けた場合（Ｓ８１のＹＥＳ）、オブジェクト特定部１１３は、情報格納領域１３０に記憶されたオブジェクト情報１３２を参照して、Ｓ８１の処理で指定を受け付けた第１のエリア内に表示された第１のオブジェクトＯＢａと、Ｓ８１の処理で指定を受け付けた第２のエリア内に表示された第２のオブジェクトＯＢｂとを特定する（Ｓ８２）。
【０１４２】
具体的に、例えば、エリアＡＲ１とエリアＡＲ２の合併を行う旨の指定が行われた場合、オブジェクト特定部１１３は、例えば、図２０に示すオブジェクト情報１３２を参照し、「エリア」に「ＡＲ１」が設定された情報の「識別情報」に設定された情報である「ＯＢ０１」及び「ＯＢ０２」を特定する。また、オブジェクト特定部１１３は、この場合、例えば、図２０に示すオブジェクト情報１３２を参照し、「エリア」に「ＡＲ２」が設定された情報の「識別情報」に設定された情報である「ＯＢ０３」、「ＯＢ０４」及び「ＯＢ０５」を特定する。
【０１４３】
そして、オブジェクト表示部１１４は、情報格納領域１３０に記憶されたエリア情報１３１を参照して、Ｓ８２の処理で特定した第１のオブジェクトＯＢａの数と第２のオブジェクトＯＢｂの数との合計値を算出する（Ｓ８３）。
【０１４４】
具体的に、オブジェクト表示部１１４は、例えば、図２２に示すエリア情報１３１を参照し、「識別情報」が「ＡＲ１」である情報の「オブジェクト数」に設定された情報である「２」と、「識別情報」が「ＡＲ２」である情報の「オブジェクト数」に設定された情報である「３」との和である「５」を算出する。
【０１４５】
その後、情報管理部１１５は、情報格納領域１３０に記憶されたエリア情報１３１とオブジェクト情報１３２とを更新する（Ｓ８４）。
【０１４６】
具体的に、情報管理部１１５は、例えば、図２４の下線部分に示すように、図２２に示すエリア情報１３１に対して、「項番」が「５」である情報（「項番」が「１」及び「２」である情報を合わせた情報）を追加する。
【０１４７】
さらに具体例に、情報管理部１１５は、例えば、図２４の下線部分に示すように、「項番」が「５」である情報として、エリアＡＲ１とエリアＡＲ２とを合併することによって定義したエリアＡＲ１２の識別情報である「ＡＲ１２」を「識別情報」に設定し、エリアＡＲ１のラベル情報である大阪とエリアＡＲ２のラベル情報である東京とを合わせたラベル情報である「大阪＋東京」を「ラベル情報」に設定する。そして、情報管理部１１５は、図２４の下線部分に示すように、「項番」が「５」である情報として、Ｓ８３の処理で算出した「５」を「オブジェクト数」に設定し、エリアＡＲ１２の周囲の座標である「（７５，４），（７８，９），（７９，１７）・・・」を「座標（境界線）」に設定する。
【０１４８】
また、情報管理部１１５は、例えば、図２４に示すように、図２２に示すエリア情報１３１から「項番」が「１」及び「２」である情報を削除する。
【０１４９】
さらに、情報管理部１１５は、例えば、図２５の下線部分に示すように、図２０に示すオブジェクト情報１３２に対して、「識別情報」に「ＯＢ０１」、「ＯＢ０２」、「ＯＢ０３」、「ＯＢ０４」及び「ＯＢ０５」が設定された情報の「エリア」に、それぞれ「ＡＲ１２」を設定する。
【０１５０】
その後、情報表示部１１１は、図１３に示すように、第３のエリア（新たなエリア）の名称を示す情報と、Ｓ８４の処理で算出した合計値とを物体１１上に表示する（Ｓ９１）。
【０１５１】
また、オブジェクト表示部１１４は、Ｓ８１の処理で指定を受け付けた第１のエリア内に表示された第１のオブジェクトＯＢａと、Ｓ８１の処理で指定を受け付けた第２のエリア内に表示された第２のオブジェクトＯＢｂとをそれぞれ非表示にする（Ｓ９２）。
【０１５２】
そして、オブジェクト表示部１１４は、第３のエリア内において、Ｓ８１の処理で指定を受け付けた第１のエリア内に表示された第１のオブジェクトＯＢａと、Ｓ８１の処理で指定を受け付けた第２のエリア内に表示された第２のオブジェクトＯＢｂとを表示する（Ｓ９３）。
【０１５３】
具体的に、図２４に示すエリア情報１３１における「項番」が「５」である情報には、「ラベル情報」として「大阪＋東京」が設定され、「オブジェクト数」として「５」が設定されている。そのため、情報表示部１１１は、図２６に示すように、例えば、机１１の上面におけるエリアＡＲ１２の範囲内に、「大阪＋東京」を示す情報と「５件」を示す情報とを含むラベルＬＢ１２を表示する。
【０１５４】
また、図２５に示すオブジェクト情報１３２には、「エリア」に「ＡＲ１２」が設定された情報の「識別情報」として「ＯＢ０１」、「ＯＢ０２」、「ＯＢ０３」、「ＯＢ０４」及び「ＯＢ０５」が設定されている。そのため、オブジェクト表示部１１４は、図２６に示すように、例えば、机１１の上面におけるエリアＡＲ１２の範囲内に、オブジェクトＯＢ０１、オブジェクトＯＢ０２、オブジェクトＯＢ０３、オブジェクトＯＢ０４及びオブジェクトＯＢ０５を表示する。
【０１５５】
これにより、参加者２１は、各エリアを示す情報の管理を自ら行うことなく、エリアの合併を容易に行うことが可能になる。
【０１５６】
［エリア分割処理の詳細］
次に、エリア分割処理の詳細について説明を行う。図１４及び図１５は、エリア分割処理の詳細を説明するフローチャート図である。なお、図１４及び図１５に示すフローチャートには、配置数算出処理の詳細に対応する処理が含まれている。
【０１５７】
指定受付部１１２は、図１４に示すように、定義済のエリアのうち、特定のエリアを分割する分割位置の指定を受け付けるまで待機する（Ｓ１０１のＮＯ）。
【０１５８】
具体的に、指定受付部１１２は、図２７に示すように、例えば、参加者２１がペン型の入力装置を用いることによって、机１１の上面においてエリアの分割を行う旨の指定と、エリアの境界線である境界線ＢＤ３の指定とを行うまで待機する。なお、図２７に示す例では、境界線ＢＤ３が指定されたことにより、机１１の上面におけるエリアＡＲ４がエリアＡＲ４１及びエリアＡＲ４２に分割されている。
【０１５９】
そして、特定のエリアを分割する分割位置の指定を受け付けた場合（Ｓ１０１のＹＥＳ）、オブジェクト特定部１１３は、情報格納領域１３０に記憶されたオブジェクト情報１３２を参照して、Ｓ１０１の処理で指定を受け付けた特定のエリア内に表示されたオブジェクトＯＢと、各オブジェクトＯＢの表示位置とを特定する（Ｓ１０２）。
【０１６０】
具体的に、例えば、エリアＡＲ４をエリアＡＲ４１及びエリアＡＲ４２に分割する旨の指定が行われた場合、オブジェクト特定部１１３は、例えば、図２５に示すオブジェクト情報１３２を参照し、「エリア」に「ＡＲ４」が設定された情報の「識別情報」に設定された情報である「ＯＢ０９」、「ＯＢ１０」及び「ＯＢ１１」を特定する。また、オブジェクト特定部１１３は、例えば、図２５に示すオブジェクト情報１３２を参照し、「エリア」に「ＡＲ４」が設定された情報の「座標」に設定された情報である「（７４，１０２）」、「（８１，１２０）」及び「（７７，１３１）」を特定する。
【０１６１】
そして、エリア特定部１１６は、Ｓ１０２の処理で特定したオブジェクトの表示位置と、Ｓ１０１の処理で指定を受け付けた分割位置とに基づき、Ｓ１０１の処理で指定を受け付けた分割位置によって分割される複数の分割エリアのうち、Ｓ１０２の処理で特定したオブジェクトそれぞれが含まれる分割エリアを特定する（Ｓ１０３）。
【０１６２】
具体的に、例えば、エリアＡＲ４１の範囲内に（７４，１０２）が含まれており、エリアＡＲ４２の範囲内に（８１，１２０）及び（７７，１３１）が含まれている場合、エリア特定部１１６は、オブジェクトＯＢ０９がエリアＡＲ４１に含まれており、オブジェクトＯＢ１０及びオブジェクトＯＢ１１がエリアＡＲ４２に含まれていると判定する。
【０１６３】
続いて、オブジェクト表示部１１４は、Ｓ１０２の処理で特定したオブジェクトＯＢのうち、それぞれの分割エリアに対応するオブジェクトＯＢの数を算出する（Ｓ１０４）。
【０１６４】
具体的に、オブジェクト表示部１１４は、例えば、オブジェクトＯＢ０９がエリアＡＲ４１に含まれていると判定した場合、エリアＡＲ４１に含まれているオブジェクトＯＢの数として「１」を算出する。また、オブジェクト表示部１１４は、例えば、オブジェクトＯＢ１０及びオブジェクトＯＢ１１がエリアＡＲ４２に含まれていると判定した場合、エリアＡＲ４２に含まれているオブジェクトＯＢの数として「２」を算出する。
【０１６５】
その後、情報管理部１１５は、図１５に示すように、情報格納領域１３０に記憶されたエリア情報１３１とオブジェクト情報１３２とを更新する（Ｓ１１１）。
【０１６６】
具体的に、情報管理部１１５は、例えば、図２８の下線部分に示すように、図２４に示すエリア情報１３１において「項番」が「４」であった情報を、「項番」が「４」である情報と「項番」が「６」である情報とに分割する。
【０１６７】
さらに具体例に、情報管理部１１５は、例えば、図２８の下線部分に示すように、「項番」が「４」である情報として、エリアＡＲ４を分割することによって定義したエリアのうちの１つであるエリアＡＲ４１の識別情報である「ＡＲ４１」を「識別情報」に設定する。そして、情報管理部１１５は、例えば、図２８の下線部分に示すように、「項番」が「４」である情報として、Ｓ１０４の処理で算出した「１」を「オブジェクト数」に設定し、エリアＡＲ４１の周囲の座標である「（４９，７８），（５０，８４），（５０，９０）・・・」を「座標（境界線）」に設定する。
【０１６８】
また、情報管理部１１５は、例えば、図２８の下線部分に示すように、「項番」が「６」である情報として、エリアＡＲ４を分割することによって定義したエリアのうちの１つであるエリアＡＲ４２の識別情報である「ＡＲ４２」を「識別情報」に設定し、エリアＡＲ４２のラベル情報として参加者２１によって予め指定された「沖縄」を「ラベル情報」に設定する。そして、情報管理部１１５は、例えば、図２８の下線部分に示すように、「項番」が「６」である情報として、Ｓ１０４の処理で算出した「２」を「オブジェクト数」に設定し、エリアＡＲ４２の周囲の座標である「（１１０，８１），（１１８，９０），（１１９，９７）・・・」を「座標（境界線）」に設定する。
【０１６９】
さらに、情報管理部１１５は、例えば、図２９の下線部分に示すように、図２５に示すオブジェクト情報１３２における「識別情報」に「ＯＢ０９」、「ＯＢ１０」及び「ＯＢ１１」が設定された情報の「エリア」に設定された情報を、それぞれ「ＡＲ４１」、「ＡＲ４２」及び「ＡＲ４２」に更新する。
【０１７０】
その後、情報表示部１１１は、Ｓ１０１の処理で指定を受け付けた分割位置によって分割される複数の分割エリアの名称をそれぞれ示す情報と、Ｓ１０４の処理で算出したオブジェクトＯＢの数とを物体１１上に表示する（Ｓ１１２）。
【０１７１】
そして、オブジェクト表示部１１４は、Ｓ１０１の処理で指定を受け付けた分割位置によって分割される複数の分割エリアそれぞれに、Ｓ１０２の処理で特定したオブジェクトＯＢのうち、それぞれの分割エリアに対応するオブジェクトＯＢを表示する（Ｓ１１３）。
【０１７２】
具体的に、図２８に示すエリア情報１３１における「項番」が「４」である情報には、「ラベル情報」として「福岡」が設定され、「オブジェクト数」として「１」が設定されている。そのため、情報表示部１１１は、図３０に示すように、例えば、机１１の上面におけるエリアＡＲ４１の範囲内に、「福岡」を示す情報と「１件」を示す情報とを含むラベルＬＢ４１を表示する。
【０１７３】
また、図２８に示すエリア情報１３１における「項番」が「６」である情報には、「ラベル情報」として「沖縄」が設定され、「オブジェクト数」として「２」が設定されている。そのため、情報表示部１１１は、図３０に示すように、例えば、机１１の上面におけるエリアＡＲ４２の範囲内に、「沖縄」を示す情報と「２件」を示す情報とを含むラベルＬＢ４２を表示する。
【０１７４】
そして、図２９に示すオブジェクト情報１３２には、「エリア」に「ＡＲ４１」が設定された情報の「識別情報」として「ＯＢ０９」が設定されている。そのため、オブジェクト表示部１１４は、図３０に示すように、例えば、机１１の上面におけるエリアＡＲ４１の範囲内に、オブジェクトＯＢ０９を表示する。
【０１７５】
また、図２９に示すオブジェクト情報１３２には、「エリア」に「ＡＲ４２」が設定された情報の「識別情報」として「ＯＢ１０」及び「ＯＢ１１」が設定されている。そのため、オブジェクト表示部１１４は、図３０に示すように、例えば、机１１の上面におけるエリアＡＲ４１の範囲内に、オブジェクトＯＢ１０及びオブジェクトＯＢ１１を表示する。
【０１７６】
これにより、参加者２１は、各エリアを示す情報の管理を自ら行うことなく、エリアの分割を容易に行うことが可能になる。
【０１７７】
［オブジェクト配置処理の詳細（２）］
次に、オブジェクト配置処理のうちの他の一部の処理の詳細について説明を行う。
【０１７８】
指定受付部１１２は、図１０に示すように、オブジェクトＯＢの配置を行う旨の指定を受け付けるまで待機する（Ｓ６１のＮＯ）。
【０１７９】
具体的に、指定受付部１１２は、例えば、参加者２１がペン型の入力装置を用いることによって、新たなオブジェクトＯＢの配置を行う旨の指定と新たなオブジェクトＯＢの表示位置の指定を行うまで待機する。
【０１８０】
そして、オブジェクトＯＢの配置を行う旨の指定を受け付けた場合（Ｓ６１のＹＥＳ）、情報管理部１１５は、Ｓ６１の処理で受け付けた指定の内容に応じて、情報格納領域１３０に記憶されたエリア情報１３１とオブジェクト情報１３２とを更新する（Ｓ６２）。
【０１８１】
具体的に、例えば、Ｓ６１の処理で指定を受け付けた表示位置がエリアＡＲ１２に含まれる場合、情報管理部１１５は、例えば、図３１の下線部分に示すように、図２８に示すエリア情報１３１における「識別情報」が「ＡＲ１２」である情報における「オブジェクト数」に設定された情報を「６」に更新する。
【０１８２】
また、例えば、Ｓ６１の処理で指定を受け付けた表示位置が（８２，１５０）であった場合、情報管理部１１５は、例えば、図３２の下線部分に示すように、図２９に示すオブジェクト情報１３２に対して、「識別情報」として「ＯＢ１２」が設定され、「種別」として「手書き情報」が設定され、「座標」として「(８２，１５０)」が設定され、「エリア」として「ＡＲ１２」が設定された情報（「項番」が「１２」である情報）を追加する。
【０１８３】
続いて、エリア特定部１１６は、情報格納領域１３０に記憶されたエリア情報１３１を参照して、１以上のエリアが定義済であるか否かを判定する（Ｓ６３）。
【０１８４】
その結果、１以上のエリアが定義済であると判定した場合（Ｓ６３のＹＥＳ）、エリア特定部１１６は、情報格納領域１３０に記憶されたエリア情報１３１を参照して、Ｓ６１の処理で指定を受け付けたオブジェクトＯＢが配置されるエリアに対応付けられたエリアを特定する（Ｓ６５）。
【０１８５】
具体的に、エリア特定部１１６は、情報格納領域１３０に記憶されたオブジェクト情報１３２を参照し、「識別情報」が「ＯＢ１２」である情報の「エリア」に設定された情報である「ＡＲ１２」を特定する。
【０１８６】
そして、オブジェクト表示部１１４は、Ｓ６５の処理で特定したエリアに、Ｓ６１の処理で指定を受け付けたオブジェクトＯＢを表示する（Ｓ６６）。
【０１８７】
具体的に、オブジェクト表示部１１４は、例えば、図３３に示すように、エリアＡＲ１２に含まれる領域のうち、Ｓ６１の処理において指定を受け付けた表示位置において、オブジェクトＯＢ１２の表示を行う。
【０１８８】
また、情報表示部１１１は、この場合、例えば、図３３に示すように、エリアＡＲ１２に含まれる領域に、「大阪＋東京」を示す情報と「６件」を示す情報とを含むラベルＬＢ１２の表示を行う。
【０１８９】
これにより、参加者２１は、各エリアを示す情報の管理を自ら行うことなく、各エリアに対する新たなオブジェクトＯＢの配置を容易に行うことが可能になる。
【０１９０】
なお、例えば、会議室２０内に複数の物体１１（以下、机１１ａ及び壁１１ｂと呼ぶ）が存在する場合、情報処理装置１は、机１１ａにおけるエリアと壁１１ｂにおけるエリアとの合併を行うものであってもよい。この場合、情報管理部１１５は、机１１ａに対応するエリア情報１３１（例えば、図３４（Ａ）に示すエリア情報１３１ａ）と、壁１１ｂに対応するエリア情報１３１（例えば、図３４（Ｂ）に示すエリア情報１３１ｂ）とをそれぞれ更新する。
【０１９１】
具体的に、例えば、机１１ａに含まれるエリアＡＲ３と壁１１ｂに含まれるエリアＡＲ６との合併が行われる場合、情報管理部１１５は、例えば、図３５（Ａ）の下線部分に示すように、「項番」が「３」である情報における「識別情報」として「ＡＲ３６」を設定し、「ラベル情報」として「札幌＋函館」を設定する。
【０１９２】
そして、図３４（Ａ）における「識別情報」が「ＡＲ３」である情報には、「オブジェクト数」として「３」が設定され、図３４（Ｂ）における「識別情報」が「ＡＲ６」である情報には、「オブジェクト数」として「４」が設定されている。そのため、情報管理部１１５は、例えば、図３５（Ａ）の下線部分に示すように、「項番」が「３」である情報における「オブジェクト数」として、「３」と「４」との和である「７」を分母とし、「３」を分子とする分数を設定する。
【０１９３】
また、この場合、情報管理部１１５は、例えば、図３５（Ｂ）の下線部分に示すように、「項番」が「２」である情報における「識別情報」として「ＡＲ３６」を設定し、「ラベル情報」として「札幌＋函館」を設定する。
【０１９４】
そして、情報管理部１１５は、例えば、図３５（Ｂ）の下線部分に示すように、「項番」が「２」である情報における「オブジェクト数」として、「３」と「４」との和である「７」を分母とし、「４」を分子とする分数を設定する。
【０１９５】
これにより、情報処理装置１は、異なる物体１１にそれぞれ含まれるエリアの合併を行う場合においても、各エリアを示す情報の管理を自ら行うことなく、エリアの合併を容易に行うことが可能になる。
【０１９６】
以上の実施の形態をまとめると、以下の付記のとおりである。
【０１９７】
（付記１）
物体上に複数のエリアをそれぞれ示す複数の情報を表示し、
前記複数のエリアのうち、第１のエリアと第２のエリアとの指定を受け付け、
エリア内に表示されたオブジェクトを、該エリアに対応付けて記憶する記憶部を参照して、指定された前記第１のエリア内に表示された第１のオブジェクトと、指定された前記第２のエリア内に表示された第２のオブジェクトとを特定し、
前記物体上に第３のエリアを示す情報を表示するとともに、前記第３のエリア内に、特定した前記第１のオブジェクトと、前記第２のオブジェクトとを表示する、
処理をコンピュータに実行させることを特徴とする表示制御プログラム。
【０１９８】
（付記２）
付記１において、さらに、
特定した前記第１のオブジェクトと、前記第２のオブジェクトとを、前記第３のエリアに対応付けて前記記憶部に記憶する、
ことを特徴とする表示制御プログラム。
【０１９９】
（付記３）
付記１または２において、さらに、
前記指定を受け付けると、指定された前記第１のエリア内に表示された第１のオブジェクトと、指定された前記第２のエリア内に表示された第２のオブジェクトとを、それぞれ非表示とする、
ことを特徴とする表示制御プログラム。
【０２００】
（付記４）
付記１または２において、さらに、
前記指定を受け付けると、前記第１のオブジェクトの前記第１のエリアでの表示と、前記第２のオブジェクトの前記第２のエリアでの表示とを、それぞれ抑制する、
ことを特徴とする表示制御プログラム。
【０２０１】
（付記５）
付記１乃至４のいずれかにおいて、
前記第３のエリアは、前記第１のエリア及び前記第２のエリアのいずれかエリアである、
ことを特徴とする表示制御プログラム。
【０２０２】
（付記６）
付記１乃至４のいずれかにおいて、
前記第３のエリアは、前記第１のエリア及び前記第２のエリアとは異なるエリアである、
ことを特徴とする表示制御プログラム。
【０２０３】
（付記７）
付記１乃至６のいずれかにおいて、
前記第１のエリア及び前記第２のエリアは、互いに隣接しないエリアである、
ことを特徴とする表示制御プログラム。
【０２０４】
（付記８）
付記７において、
前記第１のエリアは、第１の物体に情報が表示される前記複数のエリアに含まれるエリアであり、
前記第２のエリアは、第２の物体に情報が表示される前記複数のエリアに含まれるエリアである、
ことを特徴とする表示制御プログラム。
【０２０５】
（付記９）
物体上にあるエリアを示す複数の情報を表示し、
前記あるエリアを複数のエリアに分割する分割位置の指定を受け付けると、エリア内に表示されたオブジェクトと、該オブジェクトの表示位置とを、該エリアに対応付けて記憶する記憶部を参照して、前記あるエリア内に表示されたオブジェクトと、該オブジェクトの表示位置とを特定し、
特定した前記オブジェクトの表示位置と、指定された前記分割位置とに基づき、前記複数のエリアのうち、特定した前記オブジェクトそれぞれが含まれるエリアを特定し、
前記物体上にそれぞれが前記複数のエリアを示す複数の情報を表示するとともに、前記複数のエリアそれぞれに、特定した前記オブジェクトのうち、それぞれのエリアに対応するオブジェクトを表示する、
処理をコンピュータに実行させることを特徴とする表示制御プログラム。
【０２０６】
（付記１０）
付記９において、さらに、
特定した前記オブジェクトのうち、それぞれのエリアに対応するオブジェクトを、前記複数のエリアそれぞれに対応付けて前記記憶部に記憶する、
ことを特徴とする表示制御プログラム。
【０２０７】
（付記１１）
付記９において、
前記エリアを特定する処理では、
前記分割位置から前記複数のエリアの範囲をそれぞれ特定し、
前記オブジェクトごとに、前記複数のエリアのうち、該オブジェクトの表示位置を含む範囲に対応するエリアを特定する、
ことを特徴とする表示制御プログラム。
【０２０８】
（付記１２）
物体上に複数のエリアをそれぞれ示す複数の情報を表示し、
前記複数のエリアのうち、いずれかのエリア内にオブジェクトを配置する動作を検知すると、互いに関連付けられた複数のエリアに関する情報を記憶する記憶部を参照して、前記いずれかのエリアに対応付けられたエリアを特定し、
特定した前記エリア内に、前記いずれかのエリア内に配置された前記オブジェクトを表示する、
処理をコンピュータが実行することを特徴とする表示制御プログラム。
【０２０９】
（付記１３）
付記１２において、
前記オブジェクトを配置する動作は、前記複数のエリアのうち、前記いずれかのエリアと異なる他のエリアに配置されていた前記オブジェクトを、前記いずれかのエリアに移動させて配置する動作である、
ことを特徴とする表示制御プログラム。
【０２１０】
（付記１４）
付記１３において、
前記他のエリアは、前記物体と異なる物体に情報が表示される前記複数のエリアに含まれるエリアである、
ことを特徴とする表示制御プログラム。
【０２１１】
（付記１５）
物体上に複数のエリアをそれぞれ示す複数の情報を表示し、
前記複数のエリアのうち、第１のエリアと第２のエリアの指定を受け付けると、エリア内に表示されたオブジェクトを該エリアに対応付けて記憶する記憶部を参照して、指定された前記第１のエリア及び前記第２のエリアにそれぞれオブジェクトが表示されているか否かを判定し、
前記第１のエリア及び前記第２のエリアにそれぞれオブジェクトが表示されていると判定した場合、前記物体上に第３のエリアを示す情報を表示するとともに、前記第１のエリアに表示されたオブジェクトと、前記第２のエリアに表示されたオブジェクトとを前記第３のエリアに表示する、
処理をコンピュータに実行させることを特徴とする表示制御プログラム。
【０２１２】
（付記１６）
物体上に複数のエリアをそれぞれ示す複数の情報を表示させる操作を受け付け、
前記物体上に表示されたオブジェクトの位置を該オブジェクトに対応付けて記憶する記憶部を参照して、前記複数のエリアにそれぞれ含まれるオブジェクトの数を算出し、
算出した前記数を、前記複数のエリアのうち、対応するエリアに対応付けて表示する、
処理をコンピュータに実行させることを特徴とする表示制御プログラム。
【０２１３】
（付記１７）
物体上に複数のエリアをそれぞれ示す複数の情報を表示する情報表示部と、
前記複数のエリアのうち、第１のエリアと第２のエリアとの指定を受け付ける指定受付部と、
エリア内に表示されたオブジェクトを、該エリアに対応付けて記憶する記憶部を参照して、指定された前記第１のエリア内に表示された第１のオブジェクトと、指定された前記第２のエリア内に表示された第２のオブジェクトとを特定するオブジェクト特定部と、
前記物体上に第３のエリアを示す情報を表示するとともに、前記第３のエリア内に、特定した前記第１のオブジェクトと、前記第２のオブジェクトとを表示するオブジェクト表示部と、を有する、
ことを特徴とする表示制御装置。
【０２１４】
（付記１８）
物体上にあるエリアを示す複数の情報を表示する情報表示部と、
前記あるエリアを複数のエリアに分割する分割位置の指定を受け付けると、エリア内に表示されたオブジェクトと、該オブジェクトの表示位置とを、該エリアに対応付けて記憶する記憶部を参照して、前記あるエリア内に表示されたオブジェクトと、該オブジェクトの表示位置とを特定するオブジェクト特定部と、
特定した前記オブジェクトの表示位置と、指定された前記分割位置とに基づき、前記複数のエリアのうち、特定した前記オブジェクトそれぞれが含まれるエリアを特定するエリア特定部と、
前記物体上にそれぞれが前記複数のエリアを示す複数の情報を表示するとともに、前記複数のエリアそれぞれに、特定した前記オブジェクトのうち、それぞれのエリアに対応するオブジェクトを表示するオブジェクト表示部と、を有する、
ことを特徴とする表示制御装置。
【０２１５】
（付記１９）
物体上に複数のエリアをそれぞれ示す複数の情報を表示する情報表示部と、
前記複数のエリアのうち、いずれかのエリア内にオブジェクトを配置する動作を検知すると、互いに関連付けられた複数のエリアに関する情報を記憶する記憶部を参照して、前記いずれかのエリアに対応付けられたエリアを特定するエリア特定部と、
特定した前記エリア内に、前記いずれかのエリア内に配置された前記オブジェクトを表示するオブジェクト表示部と、を有する、
ことを特徴とする表示制御装置。
【０２１６】
（付記２０）
物体上に複数のエリアをそれぞれ示す複数の情報を表示する情報表示部と、
前記複数のエリアのうち、第１のエリアと第２のエリアの指定を受け付けると、エリア内に表示されたオブジェクトを該エリアに対応付けて記憶する記憶部を参照して、指定された前記第１のエリア及び前記第２のエリアにそれぞれオブジェクトが表示されているか否かを判定するオブジェクト特定部と、
前記第１のエリア及び前記第２のエリアにそれぞれオブジェクトが表示されていると判定した場合、前記物体上に第３のエリアを示す情報を表示するとともに、前記第１のエリアに表示されたオブジェクトと、前記第２のエリアに表示されたオブジェクトとを前記第３のエリアに表示するオブジェクト表示部と、を有する、
ことを特徴とする表示制御装置。
【０２１７】
（付記２１）
物体上に複数のエリアをそれぞれ示す複数の情報を表示させる操作を受け付ける指定受付部と、
前記物体上に表示されたオブジェクトの位置を該オブジェクトに対応付けて記憶する記憶部を参照して、前記複数のエリアにそれぞれ含まれるオブジェクトの数を算出し、算出した前記数を、前記複数のエリアのうち、対応するエリアに対応付けて表示するオブジェクト表示部と、を有する、
ことを特徴とする表示制御装置。
【０２１８】
（付記２２）
物体上に複数のエリアをそれぞれ示す複数の情報を表示し、
前記複数のエリアのうち、第１のエリアと第２のエリアとの指定を受け付け、
エリア内に表示されたオブジェクトを、該エリアに対応付けて記憶する記憶部を参照して、指定された前記第１のエリア内に表示された第１のオブジェクトと、指定された前記第２のエリア内に表示された第２のオブジェクトとを特定し、
前記物体上に第３のエリアを示す情報を表示するとともに、前記第３のエリア内に、特定した前記第１のオブジェクトと、前記第２のオブジェクトとを表示する、
ことを特徴とする表示制御方法。
【０２１９】
（付記２３）
物体上にあるエリアを示す複数の情報を表示し、
前記あるエリアを複数のエリアに分割する分割位置の指定を受け付けると、エリア内に表示されたオブジェクトと、該オブジェクトの表示位置とを、該エリアに対応付けて記憶する記憶部を参照して、前記あるエリア内に表示されたオブジェクトと、該オブジェクトの表示位置とを特定し、
特定した前記オブジェクトの表示位置と、指定された前記分割位置とに基づき、前記複数のエリアのうち、特定した前記オブジェクトそれぞれが含まれるエリアを特定し、
前記物体上にそれぞれが前記複数のエリアを示す複数の情報を表示するとともに、前記複数のエリアそれぞれに、特定した前記オブジェクトのうち、それぞれのエリアに対応するオブジェクトを表示する、
ことを特徴とする表示制御方法。
【０２２０】
（付記２４）
物体上に複数のエリアをそれぞれ示す複数の情報を表示し、
前記複数のエリアのうち、いずれかのエリア内にオブジェクトを配置する動作を検知すると、互いに関連付けられた複数のエリアに関する情報を記憶する記憶部を参照して、前記いずれかのエリアに対応付けられたエリアを特定し、
特定した前記エリア内に、前記いずれかのエリア内に配置された前記オブジェクトを表示する、
ことを特徴とする表示制御方法。
【０２２１】
（付記２５）
物体上に複数のエリアをそれぞれ示す複数の情報を表示し、
前記複数のエリアのうち、第１のエリアと第２のエリアの指定を受け付けると、エリア内に表示されたオブジェクトを該エリアに対応付けて記憶する記憶部を参照して、指定された前記第１のエリア及び前記第２のエリアにそれぞれオブジェクトが表示されているか否かを判定し、
前記第１のエリア及び前記第２のエリアにそれぞれオブジェクトが表示されていると判定した場合、前記物体上に第３のエリアを示す情報を表示するとともに、前記第１のエリアに表示されたオブジェクトと、前記第２のエリアに表示されたオブジェクトとを前記第３のエリアに表示する、
ことを特徴とする表示制御方法。
【０２２２】
（付記２６）
物体上に複数のエリアをそれぞれ示す複数の情報を表示させる操作を受け付け、
前記物体上に表示されたオブジェクトの位置を該オブジェクトに対応付けて記憶する記憶部を参照して、前記複数のエリアにそれぞれ含まれるオブジェクトの数を算出し、
算出した前記数を、前記複数のエリアのうち、対応するエリアに対応付けて表示する、
ことを特徴とする表示制御方法。
【符号の説明】
【０２２３】
１：情報処理装置          １ａ：記憶装置
２：センサ装置            ３：表示装置
１１：物体                ２１ａ：参加者
２１ｂ：参加者            ２１ｃ：参加者
２１ｄ：参加者            ＯＢ：オブジェクト
【図１】
2019128899.tif 000003
【図２】
2019128899.tif 000004
【図３】
2019128899.tif 000005
【図４】
2019128899.tif 000006
【図５】
2019128899.tif 000007
【図６】
2019128899.tif 000008
【図７】
2019128899.tif 000009
【図８】
2019128899.tif 000010
【図９】
2019128899.tif 000011
【図１０】
2019128899.tif 000012
【図１１】
2019128899.tif 000013
【図１２】
2019128899.tif 000014
【図１３】
2019128899.tif 000015
【図１４】
2019128899.tif 000016
【図１５】
2019128899.tif 000017
【図１６】
2019128899.tif 000018
【図１７】
2019128899.tif 000019
【図１８】
2019128899.tif 000020
【図１９】
2019128899.tif 000021
【図２０】
2019128899.tif 000022
【図２１】
2019128899.tif 000023
【図２２】
2019128899.tif 000024
【図２３】
2019128899.tif 000025
【図２４】
2019128899.tif 000026
【図２５】
2019128899.tif 000027
【図２６】
2019128899.tif 000028
【図２７】
2019128899.tif 000029
【図２８】
2019128899.tif 000030
【図２９】
2019128899.tif 000031
【図３０】
2019128899.tif 000032
【図３１】
2019128899.tif 000033
【図３２】
2019128899.tif 000034
【図３３】
2019128899.tif 000035
【図３４】
2019128899.tif 000036
【図３５】
2019128899.tif 000037